(57)【要約】【課題】遮音しにくくかつ迅速な操作を行なえる防犯ブザー装着鞄を提供すること。【解決手段】ランドセル１の側面マチ部４には、側面マチ部４と一体的に形成する収納ケース部９を配置する。一方、防犯ブザーをブザー本体とスイッチ部とに分離して、ブザー本体を収納ケース部９内に収納し、スイッチ部をランドセル１の一方の肩掛帯の中間位置に埋設する。スイッチ部にはプッシュ釦式の操作釦部と電波を発信する発信部とを備え、ブザー本体には、電波を受信する受信部と、警告音を鳴らす出力部とを備えている。【選択図】図１
0003103489.tif 000002
【実用新案登録請求の範囲】
【請求項１】
ブザー本体とスイッチとを備える防犯ブザーを鞄の一部に装着する防犯ブザー装着鞄であって、
前記ブザー本体と前記スイッチとを分離して配置するとともに、
前記ブザー本体を鞄の一部に装着し、
前記スイッチを、前記ブザー本体と離れた前記鞄の別の位置か、あるいは鞄以外の別の位置に配置することを特徴とする防犯ブザー装着鞄。
【請求項２】
前記鞄には、前記ブザー本体を収納するケース部を、前記鞄の一部に一体的に形成することを特徴とする請求項１記載の防犯ブザー装着鞄。
【請求項３】
前記スイッチをランドセルの肩掛帯の一部に埋設することを特徴とする請求項１又は２記載の防犯ブザー装着鞄。
【請求項４】
前記スイッチにベルトが接続されていることを特徴とする請求項１又は２記載の防犯ブザー装着鞄。
【請求項５】
前記スイッチが電波を送信するブッシュ釦式に構成され、前記ブザー本体に、電波受信部を備えていることを特徴とする請求項１，２，３又は４記載の防犯ブザー装着鞄。                                                                               
【考案の詳細な説明】
【技術分野】
【０００１】
本考案は、防犯ブザーを装着する鞄に関する。なお、ここで言う「鞄」とは、子供用のランドセルや手提げ鞄、背嚢又は婦人用バッグ、あるいは紳士用手提げ鞄等、外出する際に背負ったり持ち歩いたりする物品収納鞄を言うものである。
【背景技術】
【０００２】
近年、道路徒歩中の子供や婦人に対する犯罪が増えていることから、子供や婦人が防犯ブザーを持参したり又は鞄に装着したりすることが多くなってきた。この防犯ブザーを、例えば、ランドセル又は手提げ鞄、背嚢等に装着する場合、ブザーの遮音を少なくするとともに即座に操作できるために操作しやすい位置に配置する必要がある。この目的のために提案された防犯ブザー装着鞄は特許文献１又は特許文献２によって開示されている。
【０００３】
特許文献１によれば、図９に示すように、ブザー収納体３２をランドセル３１の側部に装着している。ブザー収納体３２には、防犯ブザー３３が収納されるとともに防犯ブザー３３の下面から紐３４が吊下され、紐３４の先端に配置する操作ノブ３５を引っ張ることによって防犯ブザー３３が警笛音を発信するように構成されている。従って、ランドセル３１を背負う子供は、容易に操作ノブ３５を引っ張ることができ、ランドセル３１の側部に配置した防犯ブザー３３は、遮音されることなく警告音を発信することができる。
【０００４】
又、特許文献２によれば、図１０に示すように、防犯ブザーを収納する箱状の収納体４１は、ブザー収納部４２と、前面に形成された通音用の窓孔４３と、底面に形成されて図示しない操作つまみを挿通する孔４５と、開閉蓋４６に形成される放音用小孔４７とを有している。そして収納体４１に留めベルト４８を配設して、例えば、ランドセルや手提げ鞄の任意の位置に留めベルト４８で留めることによって防犯ブザーを装着する。操作しやすい任意の位置に装着した操作つまみを引くことによって、防犯ブザーから発信した警告音が放音用小孔４７・窓孔４３を通って鳴り出すことから、防犯ブザーを容易に操作できるとともに、警告音を遮音されることなく発信できる。
【特許文献１】特開平１１−０７５９２４号公報（２〜３頁、図１参照）
【特許文献２】特開２００１−２７５７３２公報（２〜４頁、図１参照）
【考案の開示】
【考案が解決しようとする課題】
【０００５】
しかし、従来の鞄に装着した防犯ブザーは、ブザー本体と操作スイッチとが一体で構成されてブザー収納体３２（又は収納体４１）に収納されていることから、ブザー収納体３２（又は収納体４１）を鞄の操作しやすい任意の位置に配置しても、迅速に対応することには限度があった。例えば、ランドセル３１の場合、ランドセル３１は背中に背負うものであり、防犯ブザーの装着位置がランドセル３１の肩掛帯部であっても、操作する手を防犯ブザー装着位置まで移動させて紐３４の先端部の操作ノブ３５又は操作つまみを引っ張ることは手間となって、時間的な損失が大きい。そのために、暴漢に襲われたときに咄嗟の行動を起こしにくいこととなる。
【０００６】
また、図１０に示す収納体４１の場合においても、防犯ブザーは操作つまみを一体的に構成していることから、上述と同様に即座に手で操作するという迅速な対応に限度があった。
【課題を解決するための手段】
【０００７】
本考案は、上述の課題を解決するものであり、操作スイッチを迅速に操作できる防犯ブザー装着鞄を提供することを目的とするものである。そして、本考案に係る防犯ブザー装着鞄は、上記の目的を達成するために以下のように構成するものである。すなわち、
請求項１記載の考案では、ブザー本体とスイッチとを備える防犯ブザーを鞄の一部に装着する防犯ブザー装着鞄であって、
前記ブザー本体と前記スイッチとを分離して配置するとともに、
前記ブザー本体を鞄の一部に装着し、
前記スイッチを、前記ブザー本体と離れた前記鞄の別の位置か、あるいは鞄以外の別の位置に配置することを特徴とするものである。
【０００８】
請求項２記載の考案では、前記鞄には、前記ブザー本体を収納するケース部を、前記鞄の一部に一体的に形成することを特徴としている。
【０００９】
請求項３記載の考案では、前記スイッチをランドセルの肩掛帯部の一部に埋設することを特徴としている。
【００１０】
また、請求項４記載の考案では、前記スイッチにベルトが接続されていることを特徴としている。
【００１１】
さらに、請求項５記載の考案では、前記スイッチが電波を送信するブッシュ釦式に構成され、前記ブザー本体に、電波受信部を備えていることを特徴としている。
【考案の効果】
【００１２】
本考案に係る防犯ブザー装着鞄では、請求項１記載の考案によれば、防犯ブザーのブザー本体とスイッチとを分離することによって、ブザー本体を鞄の遮音の少ない位置に配置して警告音をはっきりと鳴らすとともに、スイッチを鞄の操作しやすい位置あるいは鞄と別の部位、例えば、手元あたりに配置させることによって、暴漢に襲われたときでも迅速に対応できるようにする。
【００１３】
請求項２記載の考案によれば、スイッチと分離されたブザー本体を収納する収納ケース部を、鞄の一部に一体的に形成していることから、新たな収納ケースを別に製作する必要がなくコスト低減化を図るとともに、鞄の一部に形成された収納ケース部には、スイッチが分離されていることから、スイッチを通すための通し孔を形成する必要がない。
【００１４】
請求項３記載の考案によれば、スイッチをランドセルの肩掛帯部の一部（例えば、手の届きやすい肩掛帯の前面部側）に埋設しても、スイッチがプッシュ式であるために手で迅速に操作できることから、暴漢に襲われても、即座に対応することができる。
【００１５】
請求項４記載の考案によれば、スイッチにベルトを装着していれば、スイッチを手に巻きつけておくことができることから、操作する手元付近にスイッチを配置することができ、暴漢に襲われても、即座に対応することができる。
【００１６】
請求項５記載の考案によれば、スイッチが電波発信部を有し、ブザー本体に電波受信部を設けることによって、スイッチをブザー本体から分離して使用することができる。従って、リモートコントロール操作で操作できることによって、暴漢に襲われても、即座に対応することができる。
【考案を実施するための最良の形態】
【００１７】
本考案の実施形態を図面に基づいて説明する。なお、以下の説明においては、鞄をランドセルで説明するものであるが、勿論、それに限定するものではなく、子供用の手提げ鞄や背嚢でもよく、また婦人用の鞄や紳士用の手提げ鞄であってもよい。
【００１８】
図１〜４は、ランドセル１を示すものであり、ランドセル１の一部に防犯ブザーのブザー本体を装着可能に形成する。ランドセル１は、背板部２と底板部３と一対の側面マチ部４と前段部５とを有して物品収納部６を形成するとともに、上部の物品収納部６を覆う開閉蓋部７、ランドセル１を背負うための一対の肩掛帯８を備えている。ランドセル１の両側面に形成される側面マチ部４のうち一方の側面マチ部４には、防犯部材１０のブザー本体１１を収納する収納ケース部９が側面マチ部４と一体的に形成されている。収納ケース部９には、ブザー本体１１から発信する警告音を遮音しにくいように複数の小孔９１が形成されている。小孔９１は、窓状に大きく形成してもよく、またなくてもよい。
【００１９】
一方、防犯ブザー１０は、ブザー本体１１（図５参照）とスイッチ部１２（図３〜４）参照とを備え、ブザー本体１１とスイッチ部１２が分離して構成されている。ブザー本体１１はランドセル１の収納ケース部９に収納されるために、直方体状に形成され、内部にスイッチ部１２から発信する電波の受信部１１１と、アラームを発信する出力部１１２とを備えている。なお、ブザー本体１１はランドセル１の一部に装着されていれば、その位置を限定するものではないが、できるだけブザーの警告音を遮音されない位置、又は物品を収納するのに邪魔にならない位置に設定することが望ましく、図例においては、一方の側面マチ部４に装着しているが、これに限定することなく、例えば、前段部５または開閉蓋７の裏面に装着してもよい。
【００２０】
スイッチ部１２は、プッシュ釦式で操作する操作釦部１２１と、内部に電波を発信する発信部１２２とを備えている。操作釦部１２１は、一般的に市販されているプッシュ釦式のものが使用され、釦を押すことによって電波を発信することができる。
【００２１】
このスイッチ部１２を、図３に示すように、一方の肩掛帯８の中間位置に埋設する。肩掛帯８には、図４に示すように、スイッチ部１２を埋設するための貫通孔８１が形成され、貫通孔８１にスイッチ部１２が嵌入される。このスイッチ部１２には肩掛帯８に連結するためのカシメ板部１２３が両端部に配置され、貫通孔８１にスイッチ部１２を嵌入させた後、鋲等を打込んでスイッチ部１２を肩掛帯８に止着する。
【００２２】
なお、図６に示すように、このスイッチ部１２の両端部にベルト１２４を接続してエンドレス状に形成すれば、例えば、手首に巻きつけてアクセサリーとするとともに、巻きつけた手と反対側の手で即座に操作釦部１２１を操作可能にすることができる。勿論、エンドレス状のベルトでなくても、フックで係止するタイプ、又は、止めピンで留めるタイプにしてもよい。
【００２３】
次に上記のように構成された防犯ブザー１０の作用について説明する。まず、防犯ブザー１０のブザー本体１１を、図１に示すランドセル１の収納ケース部９内に収納し、スイッチ部１２を図４に示すようにランドセル１の肩掛帯８の貫通孔８１に嵌入して埋設する。
【００２４】
学校の通学時、又は帰宅時に、ランドセルを背負った子供が暴漢に襲われた場合、子供は、ランドセル１の肩掛帯８に埋設されているスイッチ部１２の操作釦部１２１を押す。防犯ブザー１０のスイッチ部１２が背負ったランドセル１の左側の肩掛帯８に埋設させていれば、スイッチ部１２は、子供の左胸辺りに位置していることになるから、右手で操作釦部１２１を押す操作は即座に行なうことができる。
【００２５】
勿論、スイッチ部１２が、図６に示すように、ベルト１２４を装着したスイッチ部１２であって、例えば、スイッチ部１２を左手首に巻きつけていれば、やはり、右手で即座に操作することができる。
【００２６】
スイッチ部１２の操作釦部１２１を操作すると、スイッチ部１２の発信部１２２から電波が発信され、ブザー本体１１の受信部１１１で受信される。するとブザー本体１１の出力部１１２から警告音を鳴らすこととなって、暴漢を驚愕させる。そして暴漢が怯んだ隙に、逃げることができる。なお、警告音は、ブザー音でもよく、アラーム音でもよく、又は、言葉や音によるものでもよい。
【００２７】
なお、防犯ブザー１０は、ブザー本体１１とスイッチ部１２とを分離して、電波を送信するという無線状態でブザー本体１１を鳴らすようにしているが、例えば、分離したブザー本体１１とスイッチ部１２とを電線で接続して有線状態にすることもできる。
【００２８】
また、図７に示すように、鞄が背嚢２０の場合、背嚢２０は、背嚢２０の側面部に収納ケース２９を一体的に形成して、防犯ブザー１０のブザー本体部１１を収納可能にしている。スイッチ部１２は、背嚢２０に肩掛帯２８が形成されているものであれば、ランドセルと同様、肩掛帯２８に埋設してもよく、また、背嚢２０に手提げ部２６を有しているものであれば、手提げ部２６にスイッチ部１２を掛止させた状態にしてもよく、さらに、図６に示すように、スイッチ部１２にベルト１２４を接続してエンドレス状に形成したものであれば、手首に巻きつけた状態にしてもよい。
【００２９】
さらに、図８は、防犯ブザー１０のスイッチ部１２を、ランドセル１の肩掛帯８の掛止フック８２に装着したものであり、この場合でも、スイッチ部１２の操作釦部１２１を押すだけであることから、即座に操作することができる。
【００３０】
上述のように、本考案の防犯ブザー装着鞄は、防犯ブザーのブザー本体とスイッチ部とを分離して、それぞれ、適宜な位置、例えば、ブザー本体を、鞄における物品収納部の邪魔にならない位置でかつ遮音されにくい位置に配置し、スイッチ部を手元付近の操作しやすい位置に配置することによって、たとえ暴漢に襲われても迅速な対応をできるようにするものである。
【図面の簡単な説明】
【００３１】
【図１】本発明の一形態による防犯ブザー装着鞄を示す斜視図である。
【図２】図１におけるII−II断面図である。
【図３】図１におけるＡ矢視図である
【図４】図３におけるIV−IV断面図である。
【図５】本発明の一形態による防犯ブザーのブザー本体を示す斜視図である。
【図６】本発明の一形態による防犯ブザーのスイッチを示す斜視図である。
【図７】別の形態の防犯ブザー装着鞄を示す斜視図である。
【図８】防犯ブザーのスイッチを別の位置に装着する形態を示す斜視図である。
【図９】従来の防犯ブザー装着鞄を示す斜視図である。
【図１０】従来の防犯ブザー収納ケースを示す斜視図である。
【符号の説明】
【００３２】
１、ランドセル
４、側面マチ部
８、肩掛帯
９、収納ケース部
１０、防犯ブザー
１１、ブザー本体
１１１、受信部
１１２、出力部
１２、スイッチ部
１２１、操作釦部
１２２、発信部
１２４、ベルト
２０、背嚢
２８、肩掛帯
２９、収納ケース部
【図１】
0003103489.tif 000003
【図２】
0003103489.tif 000004
【図３】
0003103489.tif 000005
【図４】
0003103489.tif 000006
【図５】
0003103489.tif 000007
【図６】
0003103489.tif 000008
【図７】
0003103489.tif 000009
【図８】
0003103489.tif 000010
【図９】
0003103489.tif 000011
【図１０】
0003103489.tif 000012